(57)【要約】【課題】本発明の目的は、操作子によって指し示された位置に応じた領域を示す画像を表示媒体に記録する前に、この画像が記録される領域を表示媒体上に表示することである。【解決手段】記録装置は、２種類の光を照射する光照射部を有する。記録装置は、光記録型の表示媒体に対して、電圧を印加しないように電圧印加部を制御し、位置検出装置から取得した位置信号に応じて表示媒体を透過する第１の光を表示媒体に対して照射するように光照射部を制御する。その後に、記憶部に記憶されている位置信号に応じて表示媒体に画像を記録させるように電圧印加部に電圧を印加させ光照射部に第２の光を照射させるように制御する。【選択図】図１
2011133565.tif 000002
【特許請求の範囲】
【請求項１】
照射される光及び印加される電圧に応じて画像を記録する表示媒体に対して電圧を印加する印加手段と、
前記表示媒体に光を照射する照射手段と、
移動可能な操作子が指し示している前記表示媒体上の位置を示す位置信号を出力する装置から当該位置信号を取得する取得手段と、
前記取得手段が取得した前記位置信号を記憶する記憶手段と、
電圧を印加しないように前記印加手段を制御し、前記取得手段が取得した前記位置信号に応じて前記表示媒体を透過する第１の光を前記表示媒体に対して照射するように前記照射手段を制御する第１の制御と、その後に、前記記憶手段に記憶されている前記位置信号に応じて前記表示媒体に画像を記録させるように前記印加手段に電圧を印加させ前記照射手段に第２の光を照射させるように制御する第２の制御とを行う制御手段と
を具備することを特徴とする記録装置。
【請求項２】
前記第１の光は、前記第２の光とは波長分布または強度が異なる
ことを特徴とする請求項１に記載の記録装置。
【請求項３】
前記表示媒体を透過した前記第１の光は可視光である
ことを特徴とする請求項１または請求項２に記載の記録装置。
【請求項４】
前記表示媒体は、コレステリック液晶を有し、
前記第１の光は、前記コレステリック液晶が反射する光の円偏光成分とは反対周りの円偏光である
ことを特徴とする請求項１ないし請求項３のいずれかに記載の記録装置。
【請求項５】
前記表示媒体は可視光以外の光を吸収する割合よりも可視光を吸収する割合の方が大きく、
前記第１の光は、可視光以外の波長分布を有し、
前記照射手段は、前記表示媒体を透過して可視光以外の光を可視光に変換する変換手段に入射するように前記第１の光を照射する
ことを特徴とする請求項１ないし請求項４のいずれかに記載の記録装置。
【請求項６】
前記制御手段は、前記操作子の移動する態様に応じて前記第１の制御を前記第２の制御に切り替える
ことを特徴とする請求項１ないし請求項５のいずれかに記載の記録装置。
【発明の詳細な説明】
【技術分野】
【０００１】
本発明は、記録装置に関する。
【背景技術】
【０００２】
利用者が書き込んだ情報を表示する情報処理装置が知られている。特許文献１には、利用者の指定する位置を検出し、検出された位置情報に応じた情報をシート型表示装置に表示させる情報処理装置に関する技術が開示されている。
【先行技術文献】
【特許文献】
【０００３】
【特許文献１】特開２００７−２０６８４５号公報
【発明の概要】
【発明が解決しようとする課題】
【０００４】
本発明の目的は、操作子によって指し示された位置に応じた領域を示す画像を表示媒体に記録する前に、この画像が記録される領域を表示媒体上に表示することである。
【課題を解決するための手段】
【０００５】
本発明の請求項１に係る記録装置は、照射される光及び印加される電圧に応じて画像を記録する表示媒体に対して電圧を印加する印加手段と、前記表示媒体に光を照射する照射手段と、移動可能な操作子が指し示している前記表示媒体上の位置を示す位置信号を出力する装置から当該位置信号を取得する取得手段と、前記取得手段が取得した前記位置信号を記憶する記憶手段と、電圧を印加しないように前記印加手段を制御し、前記取得手段が取得した前記位置信号に応じて前記表示媒体を透過する第１の光を前記表示媒体に対して照射するように前記照射手段を制御する第１の制御と、その後に、前記記憶手段に記憶されている前記位置信号に応じて前記表示媒体に画像を記録させるように前記印加手段に電圧を印加させ前記照射手段に第２の光を照射させるように制御する第２の制御とを行う制御手段とを具備することを特徴とする。
【０００６】
本発明の請求項２に係る記録装置は、前記第１の光は、前記第２の光とは波長分布または強度が異なることを特徴とする。
【０００７】
本発明の請求項３に係る記録装置は、前記表示媒体を透過した前記第１の光は可視光であることを特徴とする。
【０００８】
本発明の請求項４に係る記録装置は、前記表示媒体は、コレステリック液晶を有し、前記第１の光は、前記コレステリック液晶が反射する光の円偏光成分とは反対周りの円偏光であることを特徴とする。
【０００９】
本発明の請求項５に係る記録装置は、前記表示媒体は可視光以外の光を吸収する割合よりも可視光を吸収する割合の方が大きく、前記第１の光は、可視光以外の波長分布を有し、前記照射手段は、前記表示媒体を透過して可視光以外の光を可視光に変換する変換手段に入射するように前記第１の光を照射することを特徴とする。
【００１０】
本発明の請求項６に係る記録装置は、前記制御手段は、前記操作子の移動する態様に応じて前記第１の制御を前記第２の制御に切り替えることを特徴とする。
【発明の効果】
【００１１】
請求項１に係る発明によれば、操作子によって指し示された領域を示す画像を表示媒体に記録する前に、この画像が記録される領域を表示媒体上に表示することができる。
請求項２に係る発明によれば、第１の光と第２の光とが同じ波長分布および同じ強度である場合に比べて、第１の光による表示媒体の材料へ与える影響の大きさを低減することができる。
請求項３に係る発明によれば、表示媒体を透過した第１の光を変換することなく画像が記録される領域を表わすことができる。
請求項４に係る発明によれば、コレステリック液晶が反射する光の円偏光成分とは反対周りの円偏光に第１の光を偏光しない場合に比べて、第１の光による画像を記録する領域の表示の態様がコレステリック液晶の状態によって異なることを抑制することができる。
請求項５に係る発明によれば、表示媒体を透過する第１の光の可視光成分によって記録する画像を示す領域を表示する場合に比べて、表示媒体に記録される画像のコントラストを向上させることができる。
請求項６に係る発明によれば、操作子の移動する態様に応じた第１の制御から第２の制御への切り替えを行わない場合に比べて、利用者は少ない操作でこの切り替えを行うことができる。
【図面の簡単な説明】
【００１２】
【図１】本実施形態に係る記録装置の構成を示すブロック図である。
【図２】本実施形態に係る記録装置の外観図である。
【図３】表示媒体の構成を説明する図である。
【図４】コレステリック液晶の配向変化を説明する図である。
【図５】バックライトが照射する２種類の光の特性を示すグラフである。
【図６】記録装置の第１の制御を説明する図である。
【図７】記録装置の第２の制御を説明する図である。
【図８】記録面上の認識光および記録される画像を説明する図である。
【図９】変形例１に係る表示媒体の構成を説明する図である。
【図１０】変形例２に係る記録装置および表示媒体の構成を説明する図である。
【図１１】変形例３に係る記録装置の構成を説明する図である。
【図１２】変形例４に係る記録装置の操作を説明する図である。
【発明を実施するための形態】
【００１３】
＜実施形態＞
図１は、本実施形態に係る記録装置１０の構成を示すブロック図である。記録装置１０は、移動可能な操作子３０が指し示す表示媒体２０上の位置Ｐに応じた領域の画像を表示媒体２０に記録する。表示媒体２０は、印加される電圧および照射される光に応じた画像が記録される光記録型の電子ペーパである。例えば、コレステリック液晶を有する電子ペーパである。操作子３０は、利用者が表示媒体２０に画像を記録する際に用いられる部材である。操作子３０は、利用者の操作によって、画像が記録される位置を指し示す。位置検出装置４０は、電磁誘導式のセンサを有し、このセンサが検出する操作子３０の位置から位置Ｐを検出する。
【００１４】
電圧印加部１１０は、電圧を印加する機構を有し、表示媒体２０に画像を記録するときに用いる電圧（以下、「記録電圧ＶＲ」という。）を表示媒体２０に対して印加する。光照射部１２０は、２次元に配列された画素を複数有する透過型の液晶パネル１２１と光源として機能するバックライト１２２とを備える。バックライト１２２から照射された光Ｌは、液晶パネル１２１を透過し、表示媒体２０に照射される。Ｉ／Ｆ（Infter Face：インターフェース）１３０は、ＵＳＢ（Universal Serial Bus）などの外部装置と接続する端子を有し、位置検出装置４０とのインターフェースとなる。上述した位置検出装置４０が検出した位置Ｐを示す信号（以下、「位置信号ＳＰ」という。）は、Ｉ／Ｆ１３０を介して制御部１４０へ伝達される。
【００１５】
制御部１４０は、ＣＰＵ（Central Processing Unit）などの演算装置やメモリなどの記憶手段を備え、記録装置１０の各部の動作を制御する。記憶部１５０は、不揮発性メモリなどの記憶手段であって、表示媒体２０へ記録する画像の領域を示す情報などを記憶する。操作部１６０は、利用者が記録装置１０に対して各種操作を行うためのタッチパネル、キーボードなどの操作手段であって、操作内容を示す情報を制御部１４０に出力する。制御部１４０の制御によって情報が表示される表示画面を有していてもよい。
【００１６】
図２は、本実施形態に係る記録装置１０の外観図である。記録装置１０は、筐体１１、保持部１２を備えている。筐体１１は、プラスチック等の材料をにより構成され、表示媒体２０を設置する面Ｓ１１を有する形状に形成されている。筐体１１は、内部に図示せぬ電圧印加部１１０、光照射部１２０、Ｉ／Ｆ１３０、制御部１４０および記憶部１５０を備えている。筐体１１は、面Ｓ１１上に操作部１６０を備えている。保持部１２は、筐体１１上に設けられ、表示媒体２０の端部を挟んで保持する。表示媒体２０は、記録された画像を表示する側の面である表示面２０１とは反対側の面を面Ｓ１１に向けて保持される。保持部１２は、表示媒体２０を保持したときに表示媒体２０と接する位置に電極を有する。電圧印加部１１０は、保持部１２を介して表示媒体２０に電圧を印加する。操作子３０は、利用者が操作することによって、表示面２０１を指し示す。位置検出装置４０は、記録装置１０の表示媒体２０が保持される側とは反対側に設置される。
【００１７】
図３は、表示媒体２０の断面と記録装置１０および位置検出装置４０とを模式的に示した図である。表示媒体２０は、表示面２０１と記録面２０２とを有する。記録面２０２は、図３に示す各層を介して表示面２０１と対向する面である。表示面２０１と記録面２０２の間には、表示面２０１側から順に、保護層２４１、透明電極２３１、液晶層２１０、黒吸収層２５０、感光層２２０、透明電極２３２及び保護層２４２が形成されている。保護層２４１，２４２は、表示媒体２０の表面を保護するための層である。保護層２４１，２４２は、例えば、ＰＥＴ（PolyEthylene Terephthalate：ポリエチレンテレフタラート）樹脂を用いて作られる。透明電極２３１，２３２は、液晶層２１０及び感光層２２０に電圧を印加するための層である。透明電極２３１，２３２は、例えば、ＩＴＯ（Indium-Tin Oxide：酸化インジウム錫）を用いて作られる。透明電極２３１，２３２には、それぞれ、透明電極２３１，２３２に電圧を印加するための端子２３３，２３４が電気的に接続されている。表示媒体２０が保持部１２に保持されているときには、端子２３３，２３４が保持部１２の有する電極と接触する。このとき、電圧印加部１１０が電圧を印加すると、透明電極２３１，２３２に対して電圧が印加される。
【００１８】
液晶層２１０は、印加される電圧に応じて配向が変化することにより光の反射状態を異ならせる素子を有する。液晶層２１０は、バインダー樹脂中にマイクロカプセル状のコレステリック液晶表示素子（以下、「コレステリック液晶」という。）が複数分散されたものである。感光層２２０は、照射される光に応じて電気抵抗を変化させる層である。感光層２２０は、例えば、有機感光体を材料に含んで組成されている。感光層２２０は、用いられる材料およびこれらの組成によってあらかじめ定められる光の波長帯の成分を吸収し、この光を吸収する前よりも電気抵抗が低くなる。このため、透明電極２３１，２３２に電圧が印加されているときには、光が照射される感光層２２０の領域において液晶層２１０に分圧される電圧が増加する。吸収層２５０は、感光層２２０が吸収する波長帯以外の波長帯の光を吸収する。吸収層２５０は、光を吸収する材料に顔料を用いる。なお、吸収層２５０は、染料を材料に構成されてもよい。吸収層２５０は、液晶層２１０および感光層２２０が光を透過する場合に観察されて黒色を呈する層である。なお、感光層２２０および吸収層２５０は、各々が吸収する波長帯の光であっても、全ては吸収せず、一部は透過する。例えば、表示媒体２０のＯＤ（Opitical Densitiy：光学密度）値は、１．５から２．０程度である。
【００１９】
表示媒体２０に電圧が印加されると複数の層により印加された電圧が分圧される。このとき、液晶層２１０には分圧された電圧が印加され、液晶層２１０の内部に電界が発生する。この電界の強度（以下、「電界強度」という。）によって、コレステリック液晶は配向状態を変化させる。コレステリック液晶は、いわゆる双安定性を有し、電界が発生していない状態においては、光を透過するフォーカルコニック配向または特定の波長の光を選択的に反射（ブラッグ反射）するプレーナ配向のいずれかを維持する。この例においては、プレーナ配向のコレステリック液晶は白色を呈する。コレステリック液晶は、液晶層２１０内部の電界強度に応じて、プレーナ配向からフォーカルコニック配向またはフォーカルコニック配向からホメオトロピック配向を経てプレーナ配向に配向状態を変化させる。このとき、液晶層２１０内部の電界強度は、配向状態を変化させるしきい値（以下、「電界強度しきい値ＥＳＴ」という。）を超えていることが必要である。
【００２０】
図４は、コレステリック液晶の配向変化を説明する図である。図４は、液晶層２１０の内部の電界強度ＥＳ（以下、「電界強度ＥＳ２１０」という。）と液晶層２１０の反射率との関係の一例を示すグラフである。図４の横軸は電界強度ＥＳ２１０を示し、縦軸は液晶層２１０の反射率を示している。この例の場合、電界強度ＥＳ２１０が電界強度しきい値ＥＳＴ１未満であるときに、コレステリック液晶は、元の配向状態を維持してプレーナ配向またはフォーカルコニック配向となっている。この状態から液晶層２１０に電圧が印加されて電界強度ＥＳ２１０が電界強度しきい値ＥＳＴ１以上でＥＳＴ２未満になると、コレステリック液晶は、元の配向状態がプレーナ配向であった場合はフォーカルコニック配向に配向状態が変化し、元の配向状態がフォーカルコニック配向であった場合は配向状態が維持される。この状態から液晶層２１０に電圧が印加されて電界強度ＥＳ２１０が電界強度しきい値ＥＳＴ２以上になると、コレステリック液晶は、フォーカルコニック配向からホメオトロピック配向に配向状態が変化する。ホメオトロピック配向となったコレステリック液晶は、電界強度ＥＳ２１０が急激に減少すると、プレーナ配向に配向状態が変化する。液晶層２１０に印加される電圧に応じて変化する反射率の相違が、液晶層２１０に階調の変化を生じさせる。
【００２１】
図３に戻る。液晶パネル１２１およびバックライト１２２は、筐体１１の内部に設置されている。バックライト１２２は、ＬＥＤ（Light Emitting Diode：発光ダイオード）等を有する光源である。バックライト１２２は、表示媒体２０が保持される面Ｓ１１に向けて光を照射する。バックライト１２２は、図示せぬ２つの光源を有し、各光源が照射する光の波長分布および強さが異なることで２種類の光を照射する。
【００２２】
図５は、バックライト１２２が照射する２種類の光の特性を示すグラフである。グラフの縦軸は光の強さである光強度ＬＳを示し、横軸は光の波長λを示す。光の波長λには各波長帯を、各々が示す色であるＵＶ（Ultra Violet：紫外線）、Ｖ（Violet：紫）、Ｂ（Blue：青）、Ｇ（Green：緑）、Ｙ（Yellow：黄）、Ｏ（Orange：橙）、Ｒ（Red：赤）、ＩＲ（Infrared：赤外線）によって示している。第１の光Ｌ１は、赤の波長帯に広がる波長分布を有し、光強度ＬＳの最大値が光強度値ＬＳ１となる光である。第２の光Ｌ２は、可視光の紫から赤まで広がる波長分布を有し、光強度ＬＳの最大値が光強度値ＬＳ２となる光である。
【００２３】
ここで、感光層２２０は、紫および青の波長帯ＷＢ２２０の光を吸収するように組成されている。このため、感光層２２０は、第２の光Ｌ２に含まれる波長帯ＷＢ２２０の成分を吸収し、吸収した光に応じて抵抗を変化させる。吸収層２５０は、可視光における波長帯ＷＢ２２０を除く波長帯ＷＢ２５０の光を吸収する。ただし、上述のとおり、表示媒体２０は、一部の光を透過する。このため、表示媒体２０に入射する光強度値ＬＳ３を超える光強度値ＬＳを有する光は、表示媒体２０を透過した光が表示面２０１上で人間の目に視認される。この例では、バックライト１２２は、光強度値ＬＳ３以上の光強度値ＬＳ１を有する第１の光Ｌ１を照射する。なお、図５では、光強度値ＬＳ２は、光強度値ＬＳ３未満で示されているが、光強度値ＬＳ３以上であってもよい。
【００２４】
図３に戻る。液晶パネル１２１は、バックライト１２２よりも面Ｓ１１側で面Ｓ１１に一方の面を露出するように配置されている。液晶パネル１２１は、電圧を印加されると入射する光を画素ごとに選択的に透過させる。位置検出装置４０は、筐体１１に対して表示媒体２０が保持される側とは反対側に設置される。操作子３０は、コイル等で構成されている回路を内部に有する。位置検出装置４０は、電磁誘導式のセンサを有し、操作子３０が有する回路に反応して操作子３０の位置を検出する。位置検出装置４０には、電磁誘導方式によるデジタイザ等の公知の技術が用いられる。
【００２５】
位置検出装置４０は、自装置における筐体１１側の面Ｓ４０と表示媒体２０が記録装置１０に保持されているときの表示面２０１との距離の情報をあらかじめ有している。この距離の情報と検出した操作子３０の位置の情報とに基づいて、位置検出装置４０は、位置Ｐを検出する。具体的には、位置検出装置４０は、操作子３０を表示面２０１からあらかじめ定められた距離よりも近い位置で検出した場合に、この検出した位置に対応する表示面２０１上の位置を位置Ｐとして検出する。位置検出装置４０は、あらかじめ定められた時間の間隔で位置Ｐを検出する動作を繰り返す。位置検出装置４０は、図示せぬ配線を介してＩ／Ｆ１３０と接続している。位置検出装置４０は、検出した位置Ｐを示す信号である位置信号ＳＰを制御部１４０へＩ／Ｆ１３０を介して出力する。
【００２６】
図６は、記録装置１０の第１の制御を説明する図である。以下の説明では、図３と共通する部分は同じ符号をつけて説明を割愛する。図６は、利用者が操作子３０を操作して表示媒体２０に画像を記録している状態を示している。図６では、記録領域ＲＡが操作子３０によって指し示された画像が記録される領域を示し、非記録領域ＮＲＡが画像の記録されない領域を示す。位置検出装置４０は、検出したこれら複数の位置信号ＳＰを制御部１４０へ出力する。制御部１４０は、位置信号ＳＰを取得すると、まず、電圧を印加しないように電圧印加部１１０を制御する。次に、取得した位置信号ＳＰに応じて表示媒体２０を透過する第１の光Ｌ１を表示媒体２０に対して照射するように光照射部１２０を制御する。図６では、記録領域ＲＡ１２１が位置信号ＳＰに応じた画素の領域を示し、非記録領域ＮＲＡ１２１が領域ＲＡ以外の画素の領域を示す。また、制御部１４０は、位置信号ＳＰの取得すると、取得した位置信号ＳＰの情報を記憶部１５０へ記憶させる。
【００２７】
記録領域ＲＡ１２１においては、バックライト１２２が照射した第１の光Ｌ１は、液晶パネル１２１を透過して表示媒体２０の記録面２０２へ入射する。このとき、表示媒体２０は電圧が印加されていない状態となっている。このため、液晶層２１０の配向状態は変化しない。記録面２０２から表示媒体２０に入射した第１の光Ｌ１は、上述のとおり吸収層２５０を含む表示媒体２０の各層を透過して、表示面２０１における記録領域ＲＡから出射する。制御部１４０は、このようにして、表示媒体２０を透過する第１の光Ｌ１によって操作子が指し示した領域を表示媒体２０上に表示する。制御部１４０がこのように記録装置１０の各部を制御することを、第１の制御という。
【００２８】
図７は、記録装置１０の第２の制御を説明する図である。図７は、利用者が書き込みを終了して、位置検出装置４０によって位置Ｐが検出される距離よりも離れた位置に操作子３０を移動させた状態を示している。位置検出装置４０は、位置Ｐが検出されなくなると、制御部１４０への位置信号ＳＰの出力を停止する。制御部１４０は、位置信号ＳＰが取得されなくなると、記憶部１５０を参照し、蓄積した位置信号ＳＰの情報を取得する。制御部１４０は、取得した位置信号ＳＰに応じて表示媒体２０に画像を記録させる第２の光Ｌ２を表示媒体２０に対して照射するように光照射部１２０を制御する。そして、制御部１４０は、電圧印加部１１０を制御して、表示媒体２０に記録電圧ＶＲを印加する。
【００２９】
記録電圧ＶＲは、感光層２２０に光が照射されていない場合、液晶層２１０に分圧される電圧で生じる電界の電界強度ＥＳが電界強度しきい値ＥＳＴ１未満になる大きさの電圧である。また、記録電圧ＶＲを表示媒体２０に印加した状態で感光層２２０に光が照射されると、液晶層２１０に分圧される電圧で生じる電界の電界強度ＥＳが電界強度しきい値ＥＳＴ１以上電界強度しきい値ＥＳＴ２未満になる。記録電圧ＶＲを印加されている表示媒体２０では、光が照射された感光層２２０の領域における液晶層２１０の配向状態がフォーカルコニック配向に変化または維持されて黒色を呈する。制御部１４０は、このようにして、利用者が書き込んだ領域ＲＡを黒く表示する画像を表示媒体２０に記録する。制御部１４０がこのように記録装置１０の各部を制御することを、第２の制御という。このようにして、制御部１４０は、操作子３０の移動する態様に応じて第１の制御を第２の制御に切り替える。
【００３０】
図８は、記録面２０１上の認識光および記録される画像を説明する図である。図８（ａ）は、利用者が操作子３０を操作した結果表示面２０１に第１の光Ｌ１が表示されている状態を示している。書き込まれた画像の領域には、記録装置１０によって第１の光Ｌ１が出射されている。利用者は、第１の光Ｌ１が示す画像である認識画像ＡＩによって書き込んだ画像が記録される領域を認識する。認識画像ＡＩは、第１の光Ｌ１によって赤く光る領域として表示される。図８（ａ）では、説明の便宜上、認識画像ＡＩは記録される画像とは異なる画像であることを示すため一点鎖線で示されているが、実際には連続した領域で表示される。図８（ｂ）は、利用者が操作子３０を表示面２０１から離した後、記録装置１０が表示媒体２０に書き込まれた画像を記録画像ＲＩとして記録した状態を示している。記録画像ＲＩは、認識画像ＡＩが表示されていた領域に黒く表示される画像として表示される。
【００３１】
以上、本発明の実施形態について説明したが、本発明は以下のように、さまざまな形態で実施可能である。
＜変形例１＞
上述した実施形態においては、操作子の指し示す位置を検出するセンサとしてデジタイザを用いたが、他のセンサを用いてもよい。例えば、タッチパネルを用いて、操作子３０がタッチパネルに接触する位置Ｐを検出してもよい。
【００３２】
図９は、変形例１に係る表示媒体の構成を説明する図である。表示媒体２０ａは、保護層２４１の表面にタッチパネル４１ａが構成されている。タッチパネル４１ａは、図示せぬ保持部１２が表示媒体２０ａを保持したときにＩ／Ｆ１３０と接続して操作子３０が接触した位置Ｐの位置信号ＳＰを制御部１４０へ出力する。
【００３３】
＜変形例２＞
上述した実施形態においては、第１の光Ｌ１に可視光を用いたが、可視光以外の光を用いてもよい。表示媒体２０は、感光層２２０および吸収層２５０が可視光を吸収することで画像を記録し、表示面２０１に黒い領域を表示している。このため、表示媒体２０は、可視光以外の光を吸収する割合よりも可視光を吸収する割合の方が大きく構成されている。このことから、表示媒体２０に吸収されにくい光として、例えば、紫外線や赤外線を用いればよい。この場合、表示媒体２０を透過した第１の光は蛍光材等の材料によって可視光に変換されることで、認識画像を表示する。ここで用いられる蛍光材等の材料は、例えば、照射される光のエネルギーを吸収して可視光を放出する材料である。
【００３４】
図１０は、変形例２に係る記録装置１０ｂおよび表示媒体２０ｂの構成を説明する図である。光照射部１２０ｂは、可視光以外の光を含む第１の光Ｌ１ｂを照射する。表示媒体２０ｂは、保護層２４１の表面に蛍光材等を材料に形成されている波長変換層５１ｂが構成されている。波長変換層５１ｂは、保護層２４１とは反対側に表示面２０１ｂを有する。波長変換層５１ｂは、表示媒体２０ｂの各層を透過した第１の光Ｌ１ｂを可視光の波長帯の光に変換する。この例では、例えば、青の波長帯の光である第１の光Ｌ１ｂ２に変換する。波長変換層５１ｂは、変換した第１の光Ｌ１ｂ２を表示面２０１ｂから出射する。表示面２０１ｂには、第１の光Ｌ１ｂ２によって認識画像ＡＩが表示される。光照射部１２０ｂが照射する第１の光Ｌ１ｂは、表示媒体２０に入射し、波長変換層５１ｂに到達すると第１の光Ｌ１ｂ２に変換される。なお、波長変換層５１ｂは、記録装置１０に含めて構成してもよい。この場合、波長変換層５１ｂは、例えば、保持部１２に接合されて構成され、保持部１２に保持される表示媒体２０の表面を覆うように配置される。いずれの場合も、光照射部１２０ｂは、表示媒体２０を透過して波長変換層５１ｂに入射するように第１の光Ｌ１を照射する
【００３５】
＜変形例３＞
上述した実施形態においては、液晶パネル１２１から出射された第１の光Ｌ１をそのまま表示媒体２０に入射させたが、偏光特性の異なる第１の光Ｌ１を表示媒体２０に入射させてもよい。例えば、第１の光Ｌ１として、コレステリック液晶が反射する光の円偏光成分とは反対周りの円偏光を表示媒体に入射させてもよい。これにより、第１の光Ｌ１が液晶層２１０においてプレーナ配向となっている領域を透過する際、コレステリック液晶の反射する円偏光に比べてコレステリック液晶による反射が少なくなる。
【００３６】
図１１は、変形例３に係る記録装置１０ｃの構成を説明する図である。記録装置１０ｃは、液晶パネル１２１よりも面Ｓ１１側に偏光変換層１２４ｃを備える。偏光変換層１２４ｃは、液晶パネル１２１から出射される直線偏光を液晶層２１０が有するコレステリック液晶の反射する円偏光成分とは反対周りの円偏光に変換する１／４λ板などのフィルタを有する。この場合、偏光変換層１２４ｃから出射される円偏光は、液晶層２１０の有するコレステリック液晶が反射する円偏光とは反対の方向の円偏光である。なお、この例においては、直線偏光を変換したが、例えば、光照射部１２０が有機ＥＬ（Electro-Luminescence）等の照射される光が直線偏光でない光源で構成されていた場合は、照射される光の特性に合わせて円偏光に変換する偏光変換層１２４ｃを用いればよい。
【００３７】
＜変形例４＞
上述した実施形態においては、制御部１４０は、操作子３０が表示面２０１から位置検出装置４０によって位置Ｐが検出される距離よりも離れた後に第２の制御を開始したが、操作部への操作によって第２の制御を開始してもよい。この際、制御部１４０は、第２の制御の開始以外に、第１の制御を停止した後に再び第１の制御をやり直すように各部を制御してもよい。また、制御部１４０は、第２の制御を開始する際に選択された態様に応じて画像を記録してもよい。例えば、点線や破線等の領域自身が示す線の種類または領域の境界を示す線の種類およびこれらの線の太さなどである。また、色を表示する表示媒体の場合は記録画像ＩＲの領域の色を選択させてもよい。
【００３８】
図１２は、変形例４に係る記録装置１０ｄの操作を説明する図である。表示媒体２０ｄは、表示面２０１ｄに色を有する記録された画像を表示する。操作部１６０ｄは、記録を開始する「確定」、記録をやり直す「やり直し」、記録する画像の色を選択する「色」および記録する画像における線の種類や太さを選択する「線の種類」のスイッチを有する。図１２（ａ）は、利用者が操作子３０を操作して画像を書き込んだ状態を示している。表示面２０１上には、認識画像ＡＩが表示されている。図１２（ｂ）は、利用者が操作子３０で操作部１６０ｄの確定スイッチを押した状態を示している。制御部１４０は、この操作により、表示媒体２０に画像を記録するように各部を制御する。表示面２０１上には、表示媒体２０に記録された記録画像ＲＩが表示されている。このとき、利用者が確定スイッチを押す前に、色スイッチを押して色を選択すると、記録画像ＲＩの色が選択された色で表示される。図１２（ｃ）は、図１２（ａ）の後、利用者が操作子３０で操作部１６０ｄのやり直しスイッチを押した状態を示している。制御部１４０は、この操作により、認識画像ＡＩの表示を停止し、位置信号ＳＰの情報を消去するように各部を制御する。
【００３９】
＜変形例５＞
上述した実施形態においては、第１の光Ｌ１には光強度値ＬＳ３以上である赤の波長帯の光、第２の光Ｌ２には光強度値ＬＳ３未満である可視光の波長帯の光を用いた。しかし、第１の光Ｌ１および第２の光Ｌ２は各々の波長分布または光の強度が異なる光であれば他の光であってもよい。例えば、第１の光Ｌ１と第２の光Ｌ２とが光強度値ＬＳ３未満の光強度ＬＳである場合、第１の光Ｌ１および第２の光Ｌ２には異なる波長帯の光を用いればよい。この場合、感光層２２０は、第１の光Ｌ１は透過し、第２の光Ｌ２が有する波長帯の光を吸収するように組成されていることが望ましい。また、表示媒体２０全体では、第１の光Ｌ１を透過することが望ましい。例えば、赤、緑および青の光を照射するＬＥＤでバックライト１２２を構成し、制御部１４０が表示媒体２０の特性に合わせて第１の光Ｌ１および第２の光Ｌ２に用いる光の波長帯および強さを制御すればよい。表示媒体２０が緑の光を透過し、感光層２２０が青または赤の光を吸収するように組成されていれば、制御部１４０は、緑の光を照射するＬＥＤを用いて第１の光Ｌ１を照射し、青または赤の光を照射するＬＥＤを用いて第２の光Ｌ２を照射するように各部を制御する。
【００４０】
＜変形例６＞
本発明は、中間調を表示する場合、すなわち３以上の階調数で情報を表示する場合にも適用され得る。本発明は、例えば、コレステリック液晶の配向状態が変わる際の過渡状態を利用して中間値を表現してもよいし、階調に応じて照射する光の強度または光を照射する期間を変えて記録することで中間値を表現してもよい。また、本発明は、いわゆるモノクロ表示に限定されるものではない。本発明は、例えば、青（４００〜５００ｎｍ程度）、緑（５００〜５８０ｎｍ程度）、赤（５８０〜７００ｎｍ程度）のそれぞれの波長域の光を選択的に反射し、その他の波長域の光を透過する表示素子層を積層した表示媒体と、かかる表示媒体のそれぞれの表示素子層に独立に電圧を印加するように構成された記録装置とによる記録システムに適用されれば、カラー表示が実現される。
【００４１】
＜変形例７＞
上述した実施形態においては、記録装置１０は、露光した部分の液晶層がフォーカルコニック配向からホメオトロピック配向に変化するように表示媒体２０を制御した。しかし、本発明においては、どの相状態の変化を利用するかは特に制限はなく、第２の光Ｌ２を照射することで配向変化が生じ、反射と透過とが選択されて画像が記録されれば問題ない。例えば、本実施形態の表示媒体２０においても、全面をプレーナ配向として、印加されると電界強度ＥＳ２１０がＥＳＴ２以上ＥＳＴ３以下となる記録電圧ＶＲを印加された領域が階調を変化させ、その表示を白より黒へと変化させてもよい。この場合、第２の光Ｌ２が照射された領域は、フォーカルコニック配向となり、第２の光Ｌ２が照射されなかった領域は、プレーナ配向となる。
【００４２】
＜変形例８＞
上述した実施形態においては、制御部１４０は、位置検出装置４０によって位置Ｐが検出される距離よりも操作子３０が表示面２０１から離れた状態となると、第１の制御を停止して第２の制御を開始した。しかし、制御部１４０は、このように位置Ｐが検出されなくなっても、あらかじめ定められた時間の間は第２の制御を開始せずに第１の制御の状態を維持してもよい。この場合、制御部１４０は時刻の情報を生成する機能をさらに有し、位置Ｐが検出されなくなった時刻からあらかじめ定められた時間が経過する時刻までは、第１の制御の状態を維持するように各部を制御する。
【符号の説明】
【００４３】
１０，１０ｂ，１０ｃ，１０ｄ…記録装置、１１…筐体、１２…保持部、１３…外光遮断部、２０，２０ａ，２０ｂ，２０ｄ…表示媒体、３０…操作子、４０…位置検出装置、４１ａ…タッチパネル、５１ｂ…波長変換層、１１０…電圧印加部、１２０，１２０ｂ…光照射部、１２１…液晶パネル、１２２…バックライト、１２４ｃ…偏光変換層、１３０…Ｉ／Ｆ、１４０…制御部、１５０…記憶部、１６０，１６０ｄ…操作部
【図１】
2011133565.tif 000003
【図２】
2011133565.tif 000004
【図３】
2011133565.tif 000005
【図４】
2011133565.tif 000006
【図５】
2011133565.tif 000007
【図６】
2011133565.tif 000008
【図７】
2011133565.tif 000009
【図８】
2011133565.tif 000010
【図９】
2011133565.tif 000011
【図１０】
2011133565.tif 000012
【図１１】
2011133565.tif 000013
【図１２】
2011133565.tif 000014